(57)【要約】【課題】容量の小さいメモリを用いて停電時においても情報を失わずに、復電時の情報がリセット状態で起動することを防止し、さらに停電時の２次電池からランプへの供給電力を低下させることがない照明システムを提供する。【解決手段】照明装置３は、制御装置１からの点検命令を通信部３ｂで受信すると、点灯回路部３ａ内で商用電源を切断し、２次電池３ｃを電源としてランプＬａを所定の点検時間点灯させ、この点検時間の間、２次電池３ｃを放電させる。このときも停電時と同様に、点灯回路部３ａから通信部３ｂへの電源供給は停止している。そして電池異常が発見されると、まず２次電池３ｃを交換してから交換スイッチ３０を押操作すると、不揮発性メモリのＥＥＰＲＯＭ３１に今回の２次電池３ｃの交換についての情報を書き込む。この電池交換情報は、通信部３ｂが制御装置１からの監視信号に応じて制御装置１へ送信される。【選択図】        図１
2005026014.tif 000002
【特許請求の範囲】
【請求項１】
光源となるランプ、停電時にランプに電力を供給する２次電池、外部の常用電源からの電力によって２次電池を充電する充電手段、常用電源の通電時は常用電源によってランプを点灯させ、常用電源の停電時には２次電池を電源としてランプを点灯させる点灯手段、前記点灯手段によって２次電池を電源としてランプを所定の点検時間点灯させて２次電池の点検を行う点検手段、少なくとも２次電池の充電状態を常時監視する監視手段、前記点検手段による点検結果及び前記監視手段による監視結果に基づいて少なくとも２次電池の異常を検出する検出手段、外部と通信を行うための通信部を備える照明装置と、前記照明装置と通信を行って照明装置の監視、制御を行う制御装置とから構成され、前記照明装置の通信手段は、前記制御装置に送信する情報のうち優先順位の高い情報を記憶する不揮発性メモリを具備して、前記点灯手段が２次電池を電源としてランプを点灯させているときは動作電源を供給されないことを特徴とする照明システム。
【請求項２】
前記照明装置は部品の交換を検出する手段を備え、前記不揮発性メモリは、部品の交換に関する情報を記憶することを特徴とする請求項１記載の照明システム。
【請求項３】
前記部品の交換に関する情報は、ランプ交換及び２次電池交換に関する情報であることを特徴とする請求項２記載の照明システム。
【請求項４】
前記不揮発性メモリは、前記２次電池の点検に関する情報を記憶することを特徴とする請求項１記載の照明システム。
【請求項５】
前記点検手段は、前記点検時間が異なる複数の点検を行い、前記２次電池の点検に関する情報は、前記点検時間が異なる複数の点検に関する情報であることを特徴とする請求項４記載の照明システム。
【請求項６】
前記制御装置は、前記照明装置から送信される情報のうち優先順位の高い情報を記憶する不揮発性メモリを具備することを特徴とする請求項１記載の照明システム。
【請求項７】
前記制御装置の不揮発性メモリは、前記点検手段による２次電池の点検の最新実施日時と、部品交換の最新実施日時とのうち少なくともいずれか一方を記憶することを特徴とする請求項６記載の照明システム。
【請求項８】
前記制御装置は、起動時に全照明装置の状態を確認することを特徴とする請求項６記載の照明システム。
【発明の詳細な説明】
【０００１】
【発明の属する技術分野】
本発明は、誘導灯や非常灯のように常用の電源が停電したときに２次電池等の非常用の電源でランプを点灯させる照明システムに関するものである。
【０００２】
【従来の技術】
誘導灯や非常灯のような非常用の照明装置は、火災や地震等による停電時に２次電池からなる非常用電源でランプを点灯（非常点灯）させるものであり、２次電池による非常点灯が正常に行われるか否かの点検を定期的に行うように消防庁告示及び建築基準法等で義務付けられている。
【０００３】
通常、非常用の照明装置は常用電源（商用電源）からランプへの電力供給を強制的に停止して、擬似的な停電状態とするためのスイッチが設けられており、点検者が装置本体から垂下されている引き紐を操作してこのスイッチをオンさせることで、２次電池から電力供給してランプを非常点灯させることで２次電池の点検が行われている。ここで、消防庁や建築基準法の規定では、２次電池からの電力供給により、誘導灯の場合は２０分間または６０分間、非常灯の場合は３０分間の点検時間の間、ランプを有効に非常点灯させなければならないことになっており、通常、点検者はスイッチをオン・オフさせる引き紐に重りを吊り下げてスイッチをオンさせ、上記規定の点検時間内にランプが有効に非常点灯可能か否かを監視する必要がある。しかも、一般に誘導灯や非常灯は建物内の複数箇所に設置されているので、複数の照明装置を１つ１つ見て回って点検しなければならず、点検者にとっては非常に手間の掛かる作業であった。
【０００４】
そこで従来より、２次電池の点検作業の自動化や省力化を図った照明装置が種々提案されている。例えば第１の従来例として、商用電源から電力を供給してランプを点灯する点灯手段と、商用電源に接続されて２次電池を充電する充電手段と、商用電源及び２次電池からランプへの電力供給を制御するとともに２次電池の点検シーケンス手段を有する制御手段と、点検スイッチの所定時間以上のオン動作で点検シーケンス手段の動作を開始するタイマ手段と、点検結果を表示する表示手段とを備えた非常用照明装置がある。これは、点検者は短時間だけ点検スイッチをオンすれば、点検シーケンス手段によって２次電池の点検作業が開始されるとともに終了も判断され、２次電池に異常があれば表示手段で表示するもので、点検作業の省力化を図っている。（例えば、特許文献１参照）
次に第２の従来例として、防災用のランプ、２次電池、常時は商用電源からの電力供給にてランプを点灯させ、停電時には２次電池からの電力供給でランプを点灯させる交直兼用点灯装置、外部から監視・制御を行うための送受信部、点検スイッチを備える複数の防災照明装置と、各防災照明装置の非常時及び常時の動作の監視・制御を一括して行う制御装置とを備え、各防災照明装置は制御装置からの点検信号を受けた場合のみ、制御装置へ点検結果を送信するようにした防災用の照明システムがある。これは、各防災照明装置にてランプ交換の要否を判断する必要がなく、制御装置にてランプ交換の時期を一括して管理しているもので、複数台の防災照明装置のうちから対象となる防災照明装置を選別して個別に点検を行うことができるので、時間をずらして点検を行うことができる。（例えば、特許文献２参照）
さらに第３の従来例として、複数の個別非常照明ユニットと、中央監視制御ユニットと、両者を結ぶ通信システムとからなり、この通信システムでは個別非常照明ユニット及び中央監視制御ユニットが各々具備する送受信器ユニットがループ状に接続されており、各個別非常照明ユニットの番地付けが容易に行えるとともに過去に行われた２次電池の診断結果を記憶し、個別非常照明ユニットの動作履歴を知ることが可能な照明システムある。（例えば、特許文献３参照）
また第４の従来例として、２次電池から電力供給してランプを非常点灯させるような２次電池の放電を伴う点検の結果と、２次電池の充電状態を常時監視した監視結果とから総合的に判断して、２次電池の点検結果を出力する照明装置がある（例えば、特許文献４参照）。さらに、このような照明装置を用いた照明システムでは、作業量を低減するために点検業務の自動化が提案されている。
【０００５】
しかし、点検時には負荷への供給電源を商用電源から２次電池へ切り替えて負荷を動作させる必要があり、２次電池が寿命末期のときに点検動作に入ってランプへの電源供給を２次電池に切り替えた場合、ＣＰＵ等がリセットされてしまい、点検情報が消えてしまうという課題があった。
【０００６】
また、照明装置と制御装置との間で通信を行う照明システムでは、停電時に、通信手段に２次電池からの電源供給を行わない場合、瞬停等が発生すると点検情報が失われてしまい、復電時にはＣＰＵ等がリセットされた状態で起動されるという課題があった。
【０００７】
そこで上記課題を解決するために第５の従来例では、２次電池の点検要求があると、制御に関する情報の全てを不揮発性メモリに記憶させる方法が提案されている。（例えば、特許文献５参照）
さらに第６の従来例では、点灯用の２次電池とは別に点検中に制御部を動作させるためのバッテリを具備して、点検結果を不揮発性メモリに記憶している。（例えば、特許文献６参照）
【０００８】
【特許文献１】
特開平８−１８５９８７号公報（第４頁〜第５頁、図１）
【特許文献２】
特開平８−１８０９８０号公報（第２頁〜第３頁、図１）
【特許文献３】
特開平３−２２８４９７号公報（第２頁〜第３頁、図１０）
【特許文献４】
特開平６−２５９６７３号公報（第３頁〜第４頁、図１，図２）
【特許文献５】
特開平１０−２８３４１号公報（第４頁、図１）
【特許文献６】
特開２０００−２９５７８８号公報（第４頁右欄第３１行〜第３５行、図１）
【０００９】
【発明が解決しようとする課題】
上記第１〜第６の従来例では、停電時に２次電池からの電源供給によりランプを点灯させて照度を確保することが記載されている。また、照明装置に点検を行う機能を設けて、制御装置との間で点検結果の送受信を行う照明システムについても記載されている。しかし、停電時の通信手段の動作については詳細な記載はなく、停電時に通信手段を動作させるためには通信手段へも２次電池からの電源供給が必要となるので、ランプへの供給電力が低下してしまい、２次電池の劣化も早くなるという課題があった。
【００１０】
また不揮発性メモリを用いた第５の従来例では、制御に関係するデータと点検結果とを一緒に記憶させるため、比較的容量の大きいメモリが必要であるという課題があった。
【００１１】
本発明は、上記事由に鑑みてなされたものであり、その目的は、容量の小さいメモリを用いて停電時においても情報を失わずに、復電時の情報がリセット状態で起動することを防止し、さらに停電時の２次電池からランプへの供給電力を低下させることがない照明システムを提供することにある。
【００１２】
【課題を解決するための手段】
請求項１の発明は、光源となるランプ、停電時にランプに電力を供給する２次電池、外部の常用電源からの電力によって２次電池を充電する充電手段、常用電源の通電時は常用電源によってランプを点灯させ、常用電源の停電時には２次電池を電源としてランプを点灯させる点灯手段、前記点灯手段によって２次電池を電源としてランプを所定の点検時間点灯させて２次電池の点検を行う点検手段、少なくとも２次電池の充電状態を常時監視する監視手段、前記点検手段による点検結果及び前記監視手段による監視結果に基づいて少なくとも２次電池の異常を検出する検出手段、外部と通信を行うための通信部を備える照明装置と、前記照明装置と通信を行って照明装置の監視、制御を行う制御装置とから構成され、前記照明装置の通信手段は、前記制御装置に送信する情報のうち優先順位の高い情報を記憶する不揮発性メモリを具備して、前記点灯手段が２次電池を電源としてランプを点灯させているときは動作電源を供給されないことを特徴とし、容量の小さいメモリを用いて停電時においても情報を失わずに、復電時の情報がリセット状態で起動することを防止し、さらに停電時の２次電池からランプへの供給電力を低下させることがない照明システムを供給できる。
【００１３】
請求項２の発明は、請求項１において、前記照明装置は部品の交換を検出する手段を備え、前記不揮発性メモリは、部品の交換に関する情報を記憶することを特徴とし、停電が発生した場合でも部品の交換情報を制御装置に伝達することができる。
【００１４】
請求項３の発明は、請求項２において、前記部品の交換に関する情報は、ランプ交換及び２次電池交換に関する情報であることを特徴とし、停電が発生した場合でもランプや２次電池の交換情報を制御装置に伝達することができる。
【００１５】
請求項４の発明は、請求項１において、前記不揮発性メモリは、前記２次電池の点検に関する情報を記憶することを特徴とし、停電が発生した場合でも２次電池の点検情報を制御装置に伝達することができる。
【００１６】
請求項５の発明は、請求項４において、前記点検手段は、前記点検時間が異なる複数の点検を行い、前記２次電池の点検に関する情報は、前記点検時間が異なる複数の点検に関する情報であることを特徴とし、停電が発生した場合でも定期点検や日常点検等の点検時間が異なる複数の点検情報を制御装置に伝達することができる。
【００１７】
請求項６の発明は、請求項１において、前記制御装置は、前記照明装置から送信される情報のうち優先順位の高い情報を記憶する不揮発性メモリを具備することを特徴とし、制御装置は停電時においても最低限度の情報は失わずに、照明装置の管理が可能となり、フェールセーフを実現できる。
【００１８】
請求項７の発明は、請求項６において、前記制御装置の不揮発性メモリは、前記点検手段による２次電池の点検の最新実施日時と、部品交換の最新実施日時とのうち少なくともいずれか一方を記憶することを特徴とし、停電が発生した場合でも、照明装置を管理するための最低限度の情報は保持できる。
【００１９】
請求項８の発明は、請求項６において、前記制御装置は、起動時に全照明装置の状態を確認することを特徴とし、停電が発生した場合でも、制御装置は各照明装置の最新の情報を得ることができる。
【００２０】
【発明の実施の形態】
以下、本発明の実施の形態を図面に基づいて説明する。
【００２１】
（実施形態１）
本実施形態の照明システムは、図２に示すように、制御装置１と、制御装置１に通信線２で接続された複数の照明装置３とから構成されており、制御装置１は各照明装置３に順次、監視信号を送信し、その返信信号を受信することによって各照明装置３の状態を把握している。
【００２２】
図１は照明装置３の構成を示しており、照明装置３は、光源となるランプＬａと、ランプＬａを点灯させる点灯回路部３ａと、通信線２を介して制御装置１と通信を行う通信部３ｂと、停電時や点検時にランプＬａを点灯させる電源となる２次電池３ｃと、２次電池３ｃを充電する充電部３ｄと、点灯回路部３ａに接続されて機能確認を行うための点検スイッチ３ｅとから構成される。
【００２３】
点灯回路部３ａは、外部から商用電源線４が接続されて、通常は商用電源を常用電源としてランプＬａを点灯させており、商用電源の停電時には２次電池３ｃを電源としてランプＬａを点灯させている。また点灯回路部３ａは、２次電池３ｃを電源としてランプＬａを所定の点検時間点灯させて２次電池３ｃの点検を行う点検手段、２次電池３ｃの充電状態等を常時監視する監視手段、点検結果及び監視結果に基づいて２次電池３ｃ及びランプＬａの異常を検出する異常検出手段としての機能も有する。さらには各設定を行うスイッチ３２が設けられている。
【００２４】
通信部３ｂはＣＰＵを具備して、通常、点灯回路部３ａから動作用の電源を供給されているが、停電等で２次電池３ｃを電源としてランプＬａを点灯させているときは点灯回路部３ａからの電源供給は停止している。すなわち、２次電池３ｃは点灯回路部３ａを介してランプＬａのみに電力を供給しており、停電時の点灯時間を最大限長くしている。
【００２５】
充電部３ｄは、商用電源からの電力によって２次電池３ｃを充電する。
【００２６】
以下、本実施形態の２次電池３ｃの点検動作について説明する。まず、制御装置１が各照明装置３に対して順次、通信線２を介して点検命令を送信する。照明装置３は、通信部３ｂで点検命令を受信すると、点灯回路部３ａに点検命令を送信して点灯回路部３ａ内で商用電源を切断し、２次電池３ｃを電源としてランプＬａを所定の点検時間点灯させ、この点検時間の間、２次電池３ｃを放電させる。このときも停電時と同様に、点灯回路部３ａから通信部３ｂへの電源供給は停止している。
【００２７】
各照明装置３は、その種類によって２次電池３ｃの容量が異なっており、点検に必要な放電時間（点検時間）も異なる。しかし、点灯回路部３ａがその照明装置特有の点検の管理を行い、通信部３ｂが制御装置１との通信を行って、制御装置１が点検のデータを一括して管理することで、同一の照明システムに異なる照明装置３を接続し、順次点検を行うことができる。
【００２８】
点検時の点灯回路部３ａは、２次電池３ｃを電源としてランプＬａを点灯させてから所定の点検時間が経過すると商用電源を用いた点灯に戻る。そして、点検による放電後の２次電池３ｃの状態等、及び２次電池３ｃの充電状態等を常時監視する上記監視手段による監視結果に基づいて総合的に２次電池３ｃの異常を判定する。そして、点灯回路部３ａから再び電源供給された通信部３ｂに点検結果を出力する。通信部３ｂは制御装置１からの監視信号に応じて点検結果を制御装置１へ送信し、制御装置１では点検結果の表示を行う。
【００２９】
次に上記点検の結果、２次電池３ｃの異常が発見されたときの動作について説明する。電池異常が発見されるとその表示を見たユーザが２次電池３ｃを交換する。そして２次電池３ｃを交換した後、通信部３ｂに設けた交換スイッチ３０を押操作する。通信部３ｂは交換スイッチ３０がオンすると、通信部３ｂに設けた不揮発性メモリのＥＥＰＲＯＭ３１に今回の２次電池３ｃの交換についての情報（電池交換情報）を書き込む。この電池交換情報は、通信部３ｂが制御装置１からの監視信号に応じて制御装置１へ送信する。
【００３０】
本実施形態において、制御装置１は各照明装置３に順次、監視信号を送信し、その返信信号を受信することによって各照明装置３の状態を把握している。ここで、照明装置３で２次電池３ｃの交換を行い、この電池交換情報を制御装置１へ送信する前に停電が発生すると、通信部３ｂには電源が供給されなくなるため、通信部３ｂのＣＰＵ内部に設けたＲＡＭの情報はリセットされる。しかし、本実施形態では情報としての優先順位が高い電池交換情報をＥＥＰＲＯＭ３１に記憶しているので、復電時にはＥＥＰＲＯＭ３１から電池交換情報を取り出して、制御装置１との通信動作を継続することができ、停電が発生した場合でも制御装置１に電池交換情報を伝達することができる。
【００３１】
なお、電池交換情報と同様に、ランプＬａの交換時にもランプ交換情報がＥＥＰＲＯＭ３１に記憶され、制御装置１に伝達される。
【００３２】
（実施形態２）
本実施形態の照明システムの構成、及び照明装置３の構成は実施形態１と同様であり、同様の構成には同一の符号を付して説明は省略する。図３は照明装置３として誘導灯器具の外観を示しており、函形の器体７の前面に誘導灯であることを示す表示板５を取り付け、器体７の上部にはランプＬａを収納するためのランプホルダー６を取り付けて構成される。器体７の下面には点灯回路部３ａに接続した点検スイッチ３ｅを設け、点検スイッチ３ｅを押操作すると、点灯回路部３ａはリセットされて、２次電池３ｃを電源としてランプＬａを点灯させる。
【００３３】
次に、２次電池３ｃの交換手順を図４のフローチャートで説明する。まず、実施形態１で説明した２次電池３ｃの点検動作によって２次電池３ｃの異常が検出されると（ステップＳ１）、ユーザは対象の照明装置３のランプホルダー６を器体７から取り外す。このときランプＬａも一緒に取り外される（ステップＳ２）。次に表示板５も器体７から取り外し（ステップＳ３）、器体７内の２次電池３ｃを交換した（ステップＳ４）後、通信部３ｂに設けられた交換スイッチ３０を押操作する（ステップＳ５）。通信部３ｂは交換スイッチ３０がオンすると、通信部３ｂに設けた不揮発性メモリのＥＥＰＲＯＭ３１に今回の２次電池３ｃの交換についての情報（電池交換情報）を書き込む（ステップＳ６）。そして、表示板５、ランプホルダー６を器体７に取り付ける（ステップＳ７）。
【００３４】
しかし、器体７からランプＬａを取り外した時点で点灯回路部３ａが動作を停止しているため、２次電池３ｃ交換後にランプＬａを元に戻してもランプＬａは点灯しない。ランプＬａを点灯させるためには、点検スイッチ３ｅを押操作する必要がある（ステップＳ８）。点検スイッチ３ｅを押操作すると、点灯回路部３ａは一旦リセットされた後、２次電池３ｃを電源としてランプＬａを点灯させ、通信部３ｂへの電源供給を停止する。したがって通信部３ｂのＣＰＵは一旦リセットされるが、電池交換情報はＥＥＰＲＯＭ３１に既に記憶されている。その後、商用電源を電源とした点灯動作に戻り、点灯回路部３ａから通信部３ｂへ電源が供給されると、制御装置１が照明装置３の状態をチェックするために監視信号を送信し、監視信号を受信した通信部３ｂはＥＥＰＲＯＭ３１に記憶した電池交換情報を制御装置１へ送信する（ステップＳ９）。照明装置３の通信部３ｂの電源が復帰しておらず、返信がない場合、制御装置１は監視信号を再送信する。制御装置１は、受信した電池交換情報をメモリに書き込み、表示する（ステップＳ１０）。
【００３５】
ここで、照明装置３で２次電池３ｃの交換を行い、この電池交換情報を制御装置１へ送信する前に停電が発生して、通信部３ｂに電源が供給されない場合でも、実施形態１と同様に、情報としての優先順位が高い電池交換情報をＥＥＰＲＯＭ３１に記憶しているので、復電時にはＥＥＰＲＯＭ３１から電池交換情報を取り出して、制御装置１との通信動作を継続することができ、停電が発生した場合でも制御装置１に電池交換情報を伝達することができる。
【００３６】
（実施形態３）
本実施形態の照明システムの構成、及び照明装置３の構成は実施形態１，２と同様であり、同様の構成には同一の符号を付して説明は省略する。本実施形態においても実施形態１と同様に、制御装置１が各照明装置３に対して順次、通信線２を介して点検命令を送信し、点検命令を受信した照明装置３は、点灯回路部３ａ内で商用電源を切断し、２次電池３ｃを電源としてランプＬａを所定の点検時間点灯させる点検動作を行う。そして、この点検結果は制御装置１へ送信され、制御装置１で表示される。
【００３７】
本実施形態の点検動作について、図５に示すフローチャートを用いて説明する。まず、本実施形態では放電時間（点検時間）の異なる２種類の点検種別を用いて２種類の点検を実施しており、一方は点検時間が比較的長い定期点検、他方は点検時間が比較的短い日常点検である。そして制御装置１は予め設定された点検スケジュールに基づいて各照明装置３に対して点検種別の情報を含む点検命令を送信する（ステップＳ２０）。照明装置３の通信部３ｂは点検命令を受信すると（ステップＳ２１）、点検種別を判断して（ステップＳ２２）ＥＥＰＲＯＭ３１に記憶するとともに（ステップＳ２３）、点灯回路部３ａに点検命令を送信する（ステップＳ２４）。点灯回路部３ａは点検種別及び器具種別に応じた点検時間（例えば定期点検では２０分、日常点検では１分）で実施形態１と同様の点検動作を行い、点検結果を通信部３ｂに送信し（ステップＳ２５）、通信部３ｂはＥＥＰＲＯＭ３１に点検結果を記憶する（ステップＳ２６）。そして通信部３ｂは制御装置１からの監視信号に応じて点検結果及び点検種別を制御装置１へ送信し、制御装置１では点検結果及び点検種別の表示を行う（ステップＳ２７）。
【００３８】
上記点検動作を行う本実施形態では、点検中に停電が発生して、通信部３ｂに電源が供給されない場合でも、情報としての優先順位が高い点検結果及び点検種別をＥＥＰＲＯＭ３１に記憶しているので、復電時にはＥＥＰＲＯＭ３１から点検結果及び点検種別を取り出して制御装置１へ送信することができる。
【００３９】
また自動点検を行う際に停電が発生した場合でも制御装置１に点検結果及び点検種別を伝達することができる。
【００４０】
（実施形態４）
本実施形態の制御装置１の構成を図６に示し、照明システムの構成、及び照明装置３の構成は実施形態１と同様であり、同様の構成には同一の符号を付して説明は省略する。制御装置１は、制御装置１の動作を制御するＣＰＵ１０と、通信線２を介して照明装置３と通信を行う通信部１１と、記憶部たるＳＲＡＭ１２、ＤＲＡＭ１３、ＥＥＰＲＯＭ１４と、点検結果や交換情報等を表示する表示部１５と、外部から商用電源線４が接続されて、制御装置１を動作させるのに適した電源に変換する電源１６と、停電時にＳＲＡＭ１２、ＤＲＡＭ１３に格納されたデータを保持するための電池１７とから構成される。
【００４１】
そして制御装置１は通信部１１から通信線２を介して点検信号を各照明装置３に送信し、各照明装置３から返信される点検結果を受信する。ここで通信部１１を介してＣＰＵ１０へ送信された全ての点検結果を、各照明装置３のアドレスとともにＳＲＡＭ１２またはＤＲＡＭ１３に格納した場合、電池１７の寿命末期時には停電時に情報を保持することができなくなり、各照明装置３の点検結果及びアドレスが全て消失してしまう。
【００４２】
そこで本実施形態では、電池１７が寿命末期でも最低限の情報を保持するために、優先度の高い情報のみをＥＥＰＲＯＭ１４に記憶している。大容量且つ高速に処理できるＳＲＡＭ１２に比べてＥＥＰＲＯＭ１４の処理は低容量且つ低速であるが、電池１７がなくても情報の保持が可能な不揮発性メモリであり、情報の消失を防止することができる。ここで優先度の高い情報とは、２次電池３ｃを交換した最新の日時と、２次電池３ｃの点検を行った最新の日時である。
【００４３】
このように照明装置３からの情報に優先順位を設けて、優先順位の高い情報のみをＥＥＰＲＯＭ１４に記憶することによって、電池１７が寿命末期時に停電が発生した場合でも、最低限の情報は保持されて、制御装置１による照明装置３の管理が可能となるフェールセーフ機能を実現している。
【００４４】
また、ＣＰＵ１０に接続したパソコン９では図７に示すように、照明装置３で行った２次電池３ｃの交換や、定期点検、日常点検等の各実施日時の履歴を表示することができる。
【００４５】
（実施形態５）
本実施形態の照明システムの構成、照明装置３の構成、及び制御装置１の構成は実施形態１，２，４と同様であり、同様の構成には同一の符号を付して説明は省略する。実施形態４において制御装置１は、最低限の情報として、２次電池３ｃを交換した最新の日時と、２次電池３ｃの点検を行った最新の日時とをＥＥＰＲＯＭ１４に記憶しているが、停電発生後の復電時に照明装置３の最新情報を表示部１５またはパソコン９に表示するために、本実施形態では制御装置１が全照明装置３の情報を確認した上で起動する構成としている。
【００４６】
本実施形態の起動動作について、図８に示すフローチャートを用いて説明する。まず、制御装置１から照明装置３へ点検命令を送信し、照明装置３にて実施形態１と同様の点検動作を行う（ステップＳ３０）。この点検途中で停電が発生した場合には（ステップＳ３１）、照明装置３は２次電池３ｃを用いて点検、放電を継続することができるが（ステップＳ３２）、制御装置１のＣＰＵ１０はリセットされる。このため、復電時の起動において（ステップＳ３３）制御装置１は全照明装置３の情報を要求して、返信された情報から全照明装置３の状態を把握しながら立ち上がることによって（ステップＳ３４）、停電が発生した場合でも最新の点検結果を得ることができ、照明装置３の最新情報を表示部１５またはパソコン９に表示することができる（ステップＳ３５）。
【００４７】
【発明の効果】
以上説明したように、本発明では、制御装置に送信する情報のうち優先順位の高い情報を記憶する不揮発性メモリを具備しているので、容量の小さいメモリを用いて停電時においても情報を失うことがなく、復電時の情報がリセット状態で起動することを防止でき、さらに照明装置の通信手段は、点灯手段が２次電池を電源としてランプを点灯させているときは動作電源を供給されないので停電時の２次電池からランプへの供給電力を低下させることがない照明システムを供給できるという効果がある。
【図面の簡単な説明】
【図１】本発明の実施形態１の照明装置の構成を示す図である。
【図２】同上のシステム構成を示す図である。
【図３】本発明の実施形態２の照明装置の外観を示す図である。
【図４】同上の電池交換のフローチャートを示す図である。
【図５】本発明の実施形態３の点検時の動作フローチャートを示す図である。
【図６】本発明の実施形態４の制御装置の構成を示す図である。
【図７】同上の履歴表示を示す図である。
【図８】本発明の実施形態５の復電時の動作フローチャートを示す図である。
【符号の説明】
１  制御装置
２  通信線
３  照明装置
３ａ  点灯回路部
３ｂ  通信部
３ｃ  ２次電池
３ｄ  充電部
３ｅ  点検スイッチ
３０  交換スイッチ
３１  ＥＥＰＲＯＭ
４  商用電源線
【図１】
2005026014.tif 000003
【図２】
2005026014.tif 000004
【図３】
2005026014.tif 000005
【図４】
2005026014.tif 000006
【図５】
2005026014.tif 000007
【図６】
2005026014.tif 000008
【図７】
2005026014.tif 000009
【図８】
2005026014.tif 000010